(57)【要約】      （修正有）【課題】製造コストを抑えることができるうちわを提供する。【解決手段】うちわ１は、利用者に把持される柄部１１と、柄部１１の一端に形成される所定の形状の枠部１２と、枠部１２の内側で、柄部１２の一端と対向する領域に形成される扇ぎ面１５と、枠部１２の内側で、柄部１２の一端から扇ぎ面１５に向かって延在する複数の骨部１３とを備える。複数の骨部１３のうち、所定数の骨部１３ａは、扇ぎ面１５が形成される領域と接合しないように形成される。本考案は、うちわに適用することができる。【選択図】図１
0003204639.tif 000002
【実用新案登録請求の範囲】
【請求項１】
利用者に把持される柄部と、
前記柄部の一端に形成される所定の形状の枠部と、
前記枠部の内側で、前記柄部の一端と対向する領域に形成される扇ぎ面と、
前記枠部の内側で、前記柄部の一端から前記扇ぎ面に向かって延在する複数の骨部と
を備え、
複数の前記骨部のうち、所定数の前記骨部は、前記扇ぎ面が形成される前記領域と接合しないように形成される
うちわ。
【請求項２】
複数の前記骨部のうち、中央近傍に設けられる前記所定数の前記骨部は、前記扇ぎ面が形成される前記領域と接合しないように構成される
請求項１に記載のうちわ。
【請求項３】
複数の前記骨部のうち、互いに隣接する前記所定数の前記骨部は、前記扇ぎ面が形成される前記領域と接合しないように構成される
請求項１または２に記載のうちわ。
【請求項４】
前記所定数の前記骨部は、延在方向側の端部に、所定の形状で偏平状の偏平部を有する
請求項１乃至３のいずれかに記載のうちわ。
【請求項５】
前記所定数の前記骨部は、他の前記骨部より幅広または肉厚に形成される
請求項１乃至３のいずれかに記載のうちわ。
【請求項６】
前記所定数の前記骨部は、前記扇ぎ面と平行でかつ異なる平面上で延在するように形成される
請求項１乃至５のいずれかに記載のうちわ。
【考案の詳細な説明】
【技術分野】
【０００１】
本考案は、うちわに関し、特に、製造コストを抑えることができるようにするうちわに関する。
【背景技術】
【０００２】
従来、企業などが、商品やサービスの販売促進や広告宣伝を兼ねて、商品名やサービス名などが印刷されたうちわを配布することがあった。このようなうちわは、扇ぎ面となる部分に、商品名やサービス名などが印刷された紙を貼ることで製造される。
【０００３】
しかしながら、このようにして製造されたうちわは、他の用途（他の商品やサービスの販売促進や広告宣伝）では利用できないため、当初製造した数量が実際に配布した数量よりも多い場合、余ったうちわは廃棄されることになり不経済である。また、配布する数量が当初製造した数量を超える場合、追加で製造する必要があるが、製造には相当の日数を要するため、希望する納期に間に合わないおそれがある。
【０００４】
これに対して、特許文献１には、うちわの扇ぎ面を形成する紙に、販売促進や広告宣伝のための印刷物を封入するための透明な袋を貼着することが開示されている。
【０００５】
これにより、用意したうちわが余った場合でも、袋に封入する印刷物を差し換えることで、他の用途でも利用することができる。また、用意したうちわが足りない場合でも、既成のうちわに袋を貼着し印刷物を封入するだけでよく、簡単に追加分を用意することができる。
【先行技術文献】
【特許文献】
【０００６】
【特許文献１】実用新案登録第３０７８６０９号公報
【考案の概要】
【考案が解決しようとする課題】
【０００７】
しかしながら、袋が貼着されたうちわは、製造の際、うちわ自体の材料の他に袋の材料が必要となる上に、袋を貼着する工程も必要となり、製造コストがかかってしまう。
【０００８】
本考案は、このような状況に鑑みてなされたものであり、製造コストを抑えることができるようにするものである。
【課題を解決するための手段】
【０００９】
本考案の一側面のうちわは、利用者に把持される柄部と、前記柄部の一端に形成される所定の形状の枠部と、前記枠部の内側で、前記柄部の一端と対向する領域に形成される扇ぎ面と、前記枠部の内側で、前記柄部の一端から前記扇ぎ面に向かって延在する複数の骨部とを備え、複数の前記骨部のうち、所定数の前記骨部は、前記扇ぎ面が形成される前記領域と接合しないように形成される。
【００１０】
本考案の一側面においては、利用者に把持される柄部と、柄部の一端に形成される所定の形状の枠部と、枠部の内側で、柄部の一端と対向する領域に形成される扇ぎ面と、枠部の内側で、柄部の一端から扇ぎ面に向かって延在する複数の骨部とを備えるうちわにおいて、複数の骨部のうち、所定数の骨部は、扇ぎ面が形成される領域と接合しないように形成される。
【考案の効果】
【００１１】
本考案によれば、製造コストを抑えることが可能となる。
【図面の簡単な説明】
【００１２】
【図１】本考案のうちわの構成例を示す正面図である。
【図２】印刷物を挟持した状態のうちわを示す図である。
【図３】本考案のうちわの他の構成例を示す正面図である。
【図４】本考案のうちわのさらに他の構成例を示す正面図である。
【図５】本考案のうちわのさらに他の構成例を示す正面図である。
【図６】本考案のうちわのさらに他の構成例を示す正面図である。
【図７】本考案のうちわのさらに他の構成例を示す側面図である。
【考案を実施するための形態】
【００１３】
＜本考案のうちわの構成例＞
図１は、本考案に係るうちわの構成例を示している。
【００１４】
図１に示されるうちわ１は、柄部１１、枠部１２、複数の骨部１３、リブ部１４、および扇ぎ面１５から構成される。
【００１５】
うちわ１において、柄部１１、枠部１２、複数の骨部１３、およびリブ部１４は、ポリプロピレンなどの合成樹脂により一体成型されるものとするが、それぞれが、竹などの弾性が高い材料で構成されるようにしてもよい。
【００１６】
柄部１１は、利用者に把持（支持）される部分である。柄部１１は、偏平な棒状や、円柱形の棒状をなす。
【００１７】
枠部１２は、柄部１１の一端（図中上側）に形成され所定の形状をなす。枠部１２は、うちわ１の扇部の縁をなす。本実施の形態において、枠部１２は、横長の略楕円形状をなすものとするが、円形や縦長の楕円形、扇形、矩形に近い形状など、扇いで風を起こすことができれば、任意の形状を採ることができる。
【００１８】
骨部１３は、枠部１２の内側で、柄部１１の一端から放射状に延在するように形成される。リブ部１４は、枠部１２の内側で、骨部１３と交差するように形成される。
【００１９】
扇ぎ面１５は、枠部１２の内側で、枠部１２とリブ部１４とに囲まれる領域のうち、柄部１１の一端と対向する領域に形成される。扇ぎ面１５は、その領域の表裏両面に、その領域と同一形状の紙や布、樹脂製のシートが貼着されることで形成される。また、扇ぎ面１５には、特定の商品名やサービス名ではなく、それらを提供する企業の会社名やロゴ、代表電話番号など、その企業の一般的な情報のみが印刷されるものとする。
【００２０】
図示はしないが、骨部１３は、扇ぎ面１５が形成される領域にも形成されるものとする。すなわち、枠部１２の内側で、枠部１２とリブ部１４とに囲まれる領域のうち、扇ぎ面１５が形成されない領域においては、骨部１３は露出した状態となる。
【００２１】
なお、扇ぎ面１５を樹脂製のシートで形成するなどして、うちわ１の強度が保持できるならば、骨部１３が、扇ぎ面１５が形成される領域には形成されないようにしてもよい。いずれにしても、骨部１３は、柄部１１の一端から扇ぎ面１５に向かって延在するように形成されればよい。
【００２２】
また、図１に示されるうちわ１において、複数の骨部１３のうち、所定数の骨部１３ａは、扇ぎ面１５が形成される領域（具体的には、リブ部１４）と接合しないように形成される。
【００２３】
具体的には、複数の骨部１３のうち、中央に位置する骨部１３（柄部１１の仮想延長線上にある骨部１３）と、その骨部１３を中心とした左右７本ずつの骨部１３の、１５本の骨部１３ａが、リブ部１４と接合しないように構成される。
【００２４】
このような構成により、図２に示されるように、うちわ１本体と骨部１３ａとの間に、印刷物２０が挟持されるようになる。印刷物２０は、商品やサービスの販売促進や広告宣伝のために、その商品名やサービス名などが印刷されたチラシである。印刷物２０の厚さにもよるが、うちわ１本体と骨部１３ａとの間に挟持される印刷物の枚数は、１枚に限らず、２枚以上であってもよい。
【００２５】
なお、骨部１３ａの本数は、１５本に限られることはなく、印刷物を挟持することができる本数であればよい。また、骨部１３ａそれぞれは、互いに隣接する必要はなく、例えば１本置きに設けられるようにしてもよい。
【００２６】
＜本考案のうちわの他の構成例＞
以下においては、本考案のうちわの他の構成例について説明する。
【００２７】
（例１）
図３は、本考案のうちわの他の構成例を示す正面図である。
【００２８】
図３のうちわ１においては、図１のうちわ１における骨部１３ａに代えて、１５本の骨部１３ｂが設けられる。
【００２９】
骨部１３ｂは、その延在方向側（リブ部１４および扇ぎ面１５側）の端部に、円形状で偏平状の偏平部を有している。
【００３０】
このような構成により、印刷物と骨部１３ｂとの接触面積が大きくなり、より安定して印刷物が挟持されるようになる。
【００３１】
なお、図３の例では、骨部１３ｂの偏平部の形状は円形であるものとしたが、これに限らず、例えば縦長の楕円形や矩形など、他の形状であってもよい。また、骨部１３ｂの端部に、偏平部に代えて、球状の球体部が設けられるようにしてもよい。
【００３２】
（例２）
図４は、本考案のうちわのさらに他の構成例を示す正面図である。
【００３３】
図４のうちわ１においては、図１のうちわ１における骨部１３ａに代えて、８本の骨部１３ｃが設けられる。
【００３４】
骨部１３ｃは、いずれも柄部１１の仮想延長線と平行な櫛の歯状に形成される。
【００３５】
このような構成により、印刷物に対して骨部１３ｃそれぞれから均等に力が加わるようになり、より安定して印刷物が挟持されるようになる。
【００３６】
なお、骨部１３ｃの本数は、８本に限られることはなく、印刷物を挟持することができる本数であればよい。
【００３７】
（例３）
図５は、本考案のうちわのさらに他の構成例を示す正面図である。
【００３８】
図５のうちわ１においては、図１のうちわ１における骨部１３ａに代えて、７本の骨部１３ｄが設けられる。
【００３９】
骨部１３ｄは、他の骨部１３より幅広に形成され、柄部１１の一端から延在方向に向かってテーパがつけられている。
【００４０】
このような構成により、印刷物と骨部１３ｄとの接触面積が大きくなり、より安定して印刷物が挟持されるようになる。
【００４１】
なお、骨部１３ｄの本数は、７本に限られることはなく、印刷物を挟持することができる本数であればよい。
【００４２】
（例４）
図６は、本考案のうちわのさらに他の構成例を示す正面図である。
【００４３】
図６のうちわ１においては、図１のうちわ１における骨部１３ａに代えて、７本の骨部１３ｅが設けられる。
【００４４】
骨部１３ｅは、他の骨部１３より幅広に形成され、図５の骨部１３ｄとは逆に、柄部１１の一端から延在方向に向かって逆テーパがつけられている。
【００４５】
このような構成により、印刷物と骨部１３ｅとの接触面積が大きくなり、より安定して印刷物が挟持されるようになる。
【００４６】
骨部１３ｅの本数もまた、７本に限られることはなく、印刷物を挟持することができる本数であればよい。
【００４７】
なお、図５および図６の例において、骨部１３ｄまたは骨部１３ｅが、他の骨部１３より幅広ではなく、肉厚に形成されるようにしてもよい。
【００４８】
（例５）
図７は、本考案のうちわのさらに他の構成例を示す側面図である。
【００４９】
図７のうちわ１においては、図１のうちわ１における骨部１３ａに代えて、所定数の骨部１３ｆが設けられる。
【００５０】
骨部１３ｆは、扇ぎ面１５と平行でかつ異なる平面上で延在するように形成される。
【００５１】
このような構成により、うちわ１本体と骨部１３ｆとの間に間隙ができ、パンフレットなどの冊子のような、厚みのある印刷物が挟持されるようになる。
【００５２】
なお、本考案のうちわ１においては、上述した例１乃至５が、任意に組み合わされて適用されるようにしてもよい。
【００５３】
＜本考案の効果＞
以上の構成によれば、うちわとともに、販売促進や広告宣伝のための印刷物を配布するにあたり、うちわの扇ぎ面に印刷物を封入するための透明な袋を貼着することなく、すなわち、製造の際、うちわ自体の材料の他に袋の材料が必要とならず、袋を貼着する工程も必要とならない。これにより、透明な袋を貼着したうちわと比較して、製造コストを抑えることが可能となる。
【００５４】
もちろん、用意したうちわが余った場合でも、挟持する印刷物を差し換えることで、他の用途でも利用することができる。また、用意したうちわが足りない場合でも、本考案のうちわに印刷物を挟持するだけでよく、簡単に追加分を用意することができる。
【００５５】
なお、本考案の実施の形態は、上述した実施の形態に限定されるものではなく、本考案の要旨を逸脱しない範囲において種々の変更が可能である。
【符号の説明】
【００５６】
１  うちわ
１１  柄部
１２  枠部
１３，１３ａ  骨部
１４  リブ部
１５  扇ぎ面
【図１】
0003204639.tif 000003
【図２】
0003204639.tif 000004
【図３】
0003204639.tif 000005
【図４】
0003204639.tif 000006
【図５】
0003204639.tif 000007
【図６】
0003204639.tif 000008
【図７】
0003204639.tif 000009